(57)【要約】【課題】出力画像及び出力音声の画質及び音質に関連する信号処理の設定にかかる手間を低減することができる受信機を提供する。【解決手段】外部入力信号を入力する外部入力系（外部アナログ入力部１２、外部デジタル入力部１３）を少なくとも一つ備え、前記外部入力系毎の接続履歴を記憶する記憶手段（記憶メモリ１６）を備え、前記接続履歴が、出力画像（表示部１０の出力画像）及び出力音声（スピーカ１１の出力音声）の画質及び音質に関連する信号処理の設定情報を含んでいる受信機。【選択図】図１
2010200189.tif 000002
【特許請求の範囲】
【請求項１】
外部入力信号を入力する外部入力系を少なくとも一つ備え、
前記外部入力系毎の接続履歴を記憶する記憶手段を備え、
前記接続履歴が、出力画像及び出力音声の画質及び音質に関連する信号処理の設定情報を含んでいることを特徴とする受信機。
【請求項２】
前記接続履歴をリストで表示するリスト表示手段と、
前記リストの特定の項目を選択する第１の選択手段とを備えることを特徴とする請求項１に記載の受信機。
【請求項３】
前記接続履歴が接続機器に関する情報を含んでおり、
前記外部入力系の中には、接続機器を特定することができる通信手段を有している通信手段付き外部入力系が少なくとも一つ存在し、
前記通信手段付き外部入力系が選択されているときに、前記通信手段により特定される接続機器と同一の機器が接続されていた際の出力画像及び出力音声の画質及び音質に関連する信号処理の設定情報を前記接続履歴から選択する第２の選択手段を備えることを特徴とする請求項１又は請求項２に記載の受信機。
【請求項４】
前記第１の選択手段及び／又は前記第２の選択手段によって選択される前記接続履歴に含まれる出力画像及び出力音声の画質及び音質に関連する信号処理の設定情報と同一になるように、出力画像及び出力音声の画質及び音質に関連する信号処理の設定を変更する設定変更手段を備えることを特徴とする請求項２又は請求項３に記載の受信機。
【発明の詳細な説明】
【技術分野】
【０００１】
本発明は、放送受信を行う受信機に関し、特に外部入力信号を入力する外部入力系を有する受信機に関する。
【背景技術】
【０００２】
近年、一般家庭向けの受信機は、様々な種類の外部入力端子を搭載し、多数の外部機器を同時に接続できるハードスペックになっている。そして、双方向通信が可能なＨＤＭＩ（High-Definition Multimedia Interface）に対応するＨＤＭＩ端子を搭載する受信機も多くなってきている。このような状況の下、従来のＶＴＲやＤＶＤプレーヤなどのような再生機に加え、デジタルカメラやデジタルビデオなども外部機器として受信機に接続されるようになってきている。
【０００３】
デジタルカメラやデジタルビデオなどでは、ユーザ操作に応じた操作音を出力音声として出力するものも多数あり、そのような外部機器が受信機に接続されて外部機器の操作音が受信機から出力音声として出力される場合に、通常の視聴時の音量設定では非常に大きく聞こえる事がある。また、外部機器が受信機に接続されて外部機器の出力映像が受信機によって表示される場合に、外部機器固有の出力映像の偏り（例えば、赤っぽい、明るすぎ等）が目立つこともある。
【０００４】
ところが、外部機器（受信機との外部接続が可能なデジタル家電）において、操作音や出力映像の偏りに関する規定までは現状で規格化されていない。
【先行技術文献】
【特許文献】
【０００５】
【特許文献１】特開２００８−２８８２９号公報
【発明の概要】
【発明が解決しようとする課題】
【０００６】
上記のような状況であるため、従来の受信機では、外部入力系の選択を切り替えた際に、出力画像及び出力音声の画質及び音質に不具合（例えば、出力音声の音量が異様に大きいという不具合、外部機器固有の出力映像の偏りや受信機側の表示パネルのクセなどにより出力画像が赤っぽく見えたり白浮きするという不具合など）が生じた場合、当該不具合を解消するには、出力画像及び出力音声の画質及び音質に関連する信号処理の設定変更用メニュー画面を利用して、出力画像及び出力音声の画質及び音質に関連する信号処理の設定を適切に調整するしかなかった。そして、当該調整により、出力画像及び出力音声の画質及び音質に関連する信号処理の設定が変更されれば、変更前の設定は消去されていた。
【０００７】
このため、外部入力系の選択を切り替える毎に、出力画像及び出力音声の画質及び音質に関連する信号処理の設定変更が必要になるおそれがあり、手間であった。
【０００８】
なお、特許文献１では、第１の機器から第２の機器に対して、例えばＨＤＭＩケーブルを介して、放送の視聴に必要なデータを送る放送視聴システムが提案されているが、当該放送視聴システムは受信機の出力画像及び出力音声の画質及び音質に関連する信号処理の設定に関係する技術ではない。また、特許文献１では、放送の視聴に必要なデータを例えばＣＥＣコマンドを用いて送受信しているが、この場合のＣＥＣコマンドはメーカ間の共通コマンドではなく、開発メーカが独自で定義したコマンド（ベンダーコマンド）となる。このような実施態様では、ベンダーコマンドのデータ構造を予め設定してから外部機器と受信機双方の機器開発をしないと成り立たないため、複数機器間の互換性が極めて低くなる。
【０００９】
本発明は、出力画像及び出力音声の画質及び音質に関連する信号処理の設定にかかる手間を低減することができる受信機を提供することを目的とする。
【課題を解決するための手段】
【００１０】
上記目的を達成するために本発明に係る受信機は、外部入力信号を入力する外部入力系を少なくとも一つ備え、前記外部入力系毎の接続履歴を記憶する記憶手段を備え、前記接続履歴が、出力画像及び出力音声の画質及び音質に関連する信号処理の設定情報を含んでいる構成とする。このような構成によると、外部入力系の選択が変更されたときに、接続履歴に含まれている出力画像及び出力音声の画質及び音質に関連する信号処理の設定情報を利用して、出力画像及び出力音声の画質及び音質に関連する信号処理の設定を変更することが可能となるので、出力画像及び出力音声の画質及び音質に関連する信号処理の設定にかかる手間を低減することができる。
【００１１】
また、前記接続履歴をリストで表示するリスト表示手段と、前記リストの特定の項目を選択する第１の選択手段とを備えるようにしてもよい。これにより、選択された外部入力系に接続されている接続機器が前回接続された接続機器と異なる場合であっても、第１の選択手段による選択により、出力画像及び出力音声の画質及び音質に関連する信号処理の設定を適切にすることが可能となる。
【００１２】
また、前記接続履歴が接続機器に関する情報を含んでおり、前記外部入力系の中には、接続機器を特定することができる通信手段を有している通信手段付き外部入力系が少なくとも一つ存在し、前記通信手段付き外部入力系が選択されているときに、前記通信手段により特定される接続機器と同一の機器が接続されていた際の出力画像及び出力音声の画質及び音質に関連する信号処理の設定情報を前記接続履歴から選択する第２の選択手段を備えるようにしてもよい。これにより、選択された外部入力系に接続されている接続機器が前回接続された接続機器と異なる場合でも、出力画像及び出力音声の画質及び音質に関連する信号処理の設定を自動的に適切にすることが可能となる。
【００１３】
また、前記第１の選択手段及び／又は前記第２の選択手段によって選択される前記接続履歴に含まれる出力画像及び出力音声の画質及び音質に関連する信号処理の設定情報と同一になるように、出力画像及び出力音声の画質及び音質に関連する信号処理の設定を変更する設定変更手段を備えるようにしてもよい。
【発明の効果】
【００１４】
本発明によると、出力画像及び出力音声の画質及び音質に関連する信号処理の設定にかかる手間を低減することができる受信機を実現することができる。
【図面の簡単な説明】
【００１５】
【図１】は、本発明に係る受信機の一構成例を示す図である。
【図２】は、記憶メモリに記憶されている接続履歴のデータ構造例を概念的に示す図である。
【図３】は、出力画像及び出力音声の画質及び音質に関連する信号処理の設定動作例を示すフローチャートである。
【図４】は、リスト表示例を示す図である。
【発明を実施するための形態】
【００１６】
本発明の実施形態について図面を参照して以下に説明する。本発明に係る受信機の一構成例を図１に示す。図１に示す受信機は、デジタル放送受信を行うデジタル受信機であって、チューナ２と、デマルチプレクサ（以下、ＤＥＭＵＸという）３と、デコーダ４と、ＣＰＵ５と、スケーラ６と、フレームメモリ７と、映像処理部８と、音声処理部９と、表示部１０と、スピーカ１１と、外部アナログ入力部１２と、外部デジタル入力部１３と、Ａ／Ｄ変換部１４と、履歴検索・設定抽出部１５と、記憶メモリ１６と、履歴更新・設定更新部１７と、リモコン受光部１８とを備えている。
【００１７】
アンテナ１は、放送局や衛星等から送られてくるデジタル放送信号を受信し、映像データ及び音声データを含む高周波デジタル変調信号をチューナ２に送る。
【００１８】
チューナ２は、ＣＰＵ５からのチャンネル選択信号に応じて、高周波デジタル変調信号のうちから特定周波数の信号を取り出す。また、チューナ２は、復調回路、逆インタリーブ回路、及び誤り訂正回路などから成る復調部（不図示）を備えており、選択したデジタル変調信号を当該復調部により復調してトランスポート・ストリーム（以下、ＴＳという）を出力する。
【００１９】
ＤＥＭＵＸ３は、前記ＴＳをＭＰＥＧ−２（Moving Picture Experts Group-2）のビデオストリーム、オーディオストリーム、及びＰＳＩ／ＳＩ（Program Specific Information／Service Information）等に分離する。ＤＥＭＵＸ３は、ビデオストリーム、オーディオストリームをデコーダ４に供給し、ＰＳＩ／ＳＩに含まれる番組情報等をＣＰＵ５で解析し、ユーザサービスを提供する。本来、デコーダ４は、デジタル放送用のＭＰＥＧデコーダと、コンポジット信号用のビデオデコーダと、音声デコーダとに分離されているが、図１ではまとめて図示している。
【００２０】
外部アナログ入力部１２は、コンポジット信号、コンポーネント信号等のアナログ信号を外部から入力する。外部アナログ入力部１２は、コンポジット信号を外部から入力する態様である場合、コンポジット端子やＳ端子を有しており、コンポーネント信号を外部から入力する態様である場合、コンポーネント端子やＤ端子を有している。外部デジタル入力部１３は、ＨＤＭＩケーブルを介して伝送されてくるＴＭＤＳデータ信号等のデジタル信号を外部から入力する。外部デジタル入力部１３は、ＨＤＭＩケーブルを介して伝送されてくるＴＭＤＳ（Transition Minimized Differential Signaling）データ信号等のデジタル信号を外部から入力する態様である場合、ＨＤＭＩ端子及びＨＤＭＩレシーバを有している。
【００２１】
外部アナログ入力部１２から出力されるアナログ信号に含まれる映像データは、Ａ／Ｄ変換部１４によってデジタルデータに変換されたのち、コンポジット信号である場合はデコーダ４を経由してスケーラ６に入力され、コンポーネント信号である合はデコーダ４を経由せずにスケーラ６に入力される。一方、外部デジタル入力部１３から出力されるデジタル信号に含まれる映像データは直接スケーラ６に入力される。
【００２２】
デコーダ４、Ａ／Ｄ変換部１４、或いは外部デジタル入力部１３から出力された映像データは、スケーラ６を経由して、映像データを格納するメモリ領域であるフレームメモリ７に書き込まれる。映像処理部８は、履歴探索・設定抽出部１５を経由してフレームメモリ７から送られてきた映像データに対して、各種信号処理を施したのち、履歴更新・設定更新部１７を経由して表示部１０に送る。これにより、表示部１０の画面に映像が表示される。なお、映像処理部８は、のＣＰＵ５から指示された文字情報や色情報に基づく映像データを生成するＯＳＤ（On Screen Display）機能も有している。
【００２３】
外部アナログ入力部１２から出力されるアナログ信号に含まれる音声データは、Ａ／Ｄ変換部１４によってデジタルデータに変換されたのち、履歴探索・設定抽出部１５に出力され、履歴探索・設定抽出部１５を経由して音声処理部９に送られる。一方、外部デジタル入力部１３から出力されるデジタル信号に含まれる音声データは、直接履歴探索・設定抽出部１５に出力され、履歴探索・設定抽出部１５を経由して音声処理部９に送られる。音声処理部９は、履歴探索・設定抽出部１５を経由で送られてきた音声データに対して、各種信号処理を施したのち、履歴更新・設定更新部１７を経由してスピーカ１１に送る。これにより、スピーカ１１から音声が発せられる。
【００２４】
映像処理部８及び音声処理部９の前段に設けられている履歴検索・設定抽出部１５は、ＣＰＵ５によって、出力画像及び出力音声の画質及び音質に関連する信号処理の処理対象である信号が切り替わるタイミングが検出され、選択されている外部入力系が特定されると、記憶メモリ１６から接続履歴を読み出し、原則として、ＣＰＵ５により特定された外部入力系に対応する接続履歴の中から最新のものを抽出し、さらにその最新のものに含まれている出力画像及び出力音声の画質及び音質に関連する信号処理の設定情報を抽出し、その抽出した設定情報を映像処理回路８及び音声処理回路９へ送る。映像処理回路８及び音声処理回路９は、履歴検索・設定抽出部１５から送られてきた情報に応じた設定の信号処理を実行する。
【００２５】
ここで、記憶メモリ１６に記憶されている接続履歴のデータ構造例を図２に概念的に示す。各外部入力系に対応する各接続履歴において、履歴番号１が最新のものとなっている。
【００２６】
映像処理部８及び音声処理部９の後段に設けられている履歴更新・設定更新部１７は、カレンダ機能を有しており、ＣＰＵ５による信号切り替わりタイミングの検出時期及び外部入力系の特定結果と、履歴検索・設定抽出部１５よる設定抽出の結果に基づいて、現状選択されている外部入力系に関する情報を接続履歴に付加して接続履歴を更新して記憶メモリ１６に記憶させ、さらにその後、現状の外部入力系の選択が維持されている状態で、リモコン送信機からのリモコン信号や受信機本体に設けられる操作部のキー操作により、出力画像及び出力音声の画質及び音質に関連する信号処理の設定変更が指示された場合、接続履歴に付加した現状選択されている外部入力系に関する情報に含まれている出力画像及び出力音声の画質及び音質に関連する信号処理の設定情報を更新して記憶メモリ１６に記憶させる。ちなみに、出力画像及び出力音声の画質及び音質に関連する信号処理の設定情報とは、映像に関してはコントラスト、バックライトの明るさ等の設定パラメータであり、音声に関してはボリューム、高音、低音等の設定パラメータである。なお、接続履歴のデータ構造において接続日のデータは必須ではなく、接続履歴のデータ構造に接続日のデータを含めない場合、履歴更新・設定更新部１７はカレンダ機能を有さなくてよい。この場合、接続履歴の更新順に従って接続履歴のデータが並べられることになる。
【００２７】
リモコン送信機（不図示）に設けられたキーが操作されると、そのキーに対応したリモコン信号がリモコン送信機の発光部から送出される。リモコン受光部１８は、リモコン信号を受光し、これを電気信号に変換してＣＰＵ５に与える。
【００２８】
ＣＰＵ５は、リモコン送信機からのリモコン信号や受信機本体に設けられる操作部のキー操作による信号に応じた処理を実行し、受信機全体を制御する。
【００２９】
次に、上記のような構成の図１に示す受信機が行っている出力画像及び出力音声の画質及び音質に関連する信号処理の設定動作の例について、図３に示すフローチャートを参照して以下に説明する。
【００３０】
ＣＰＵ５は、出力画像及び出力音声の画質及び音質に関連する信号処理の処理対象である信号が切り替わるタイミング（例えば、電源がＯＮになったとき、外部入力系の選択が切り替わったとき、無信号から信号が復活したときなど）を検出しており、当該タイミングを検出すると、図３に示すフローチャート動作を開始する。
【００３１】
まず、ＣＰＵ５は、外部入力系が選択されているか否かを判定する（ステップＳ１０）。外部入力系が選択されていなければ（ステップＳ１０のＮＯ）、すなわち、チューナ２によって選択されたデジタル変調信号に基づく信号が、出力画像及び出力音声の画質及び音質に関連する信号処理の処理対象である場合は、履歴検索・設定抽出部１５により出力画像及び出力音声の画質及び音質に関連する信号処理の設定をデフォルトにし（ステップＳ１００）、フロー動作を終了する。一方、外部入力系が選択されていれば（ステップＳ１０のＹＥＳ）、ステップＳ２０に移行する。なお、出力画像及び出力音声の画質及び音質に関連する信号処理のデフォルト設定に関する情報は、記憶メモリ１６に記憶されており、チューナ２による放送番組視聴のときに例えばリモコン送信機や受信機本体に設けられる操作部のキー操作によって音量調整などがなされると、その内容が更新されて記憶メモリ１６に記憶される。
【００３２】
ステップＳ２０において、ＣＰＵ５は、選択されている外部入力系の特定を試み、その特定が成功したか否かを判定する。選択されている外部入力系の特定に成功しなかった場合（ステップＳ２０のＮＯ）、映像処理部８のＯＳＤ機能を利用して、表示部１０にエラーメッセージを表示させ（ステップＳ２５）、履歴検索・設定抽出部１５により出力画像及び出力音声の画質及び音質に関連する信号処理の設定をデフォルトにし（ステップＳ１００）、フロー動作を終了する。選択されている外部入力系の特定に成功しなかった場合の例としては、選択されている外部入力系がＨＤＭＩのＴＭＤＳデータ信号系であって、ＨＤＣＰ（High-bandwidth Digital Content Protection）認証に失敗した場合などが挙げられる。一方、選択されている外部入力系の特定に成功しなかった場合（ステップＳ２０のＹＥＳ）、ステップＳ３０に移行する。
【００３３】
履歴検索・設定抽出部１５は、記憶メモリ１６から接続履歴を読み出し（ステップＳ３０）、特定された外部入力系に対応する接続履歴の有無を判定する（ステップＳ４０）。特定された外部入力系に対応する接続履歴がない場合（ステップＳ４０のＮＯ）、履歴検索・設定抽出部１５により出力画像及び出力音声の画質及び音質に関連する信号処理の設定をデフォルトにし（ステップＳ１００）、フロー動作を終了する。一方、特定された外部入力系に対応する接続履歴が有る場合（ステップＳ４０のＹＥＳ）、ステップＳ５０に移行する。
【００３４】
ステップＳ５０において、履歴検索・設定抽出部１５は、特定された外部入力系がＨＤＭＩ−ＣＥＣのように接続機器を特定することができる通信手段を有しているか否かを判定する。
【００３５】
特定された外部入力系が接続機器を特定することができる通信手段を有していれば（ステップＳ５０のＹＥＳ）、履歴検索・設定抽出部１５は、通信手段を利用して接続機器の特定情報を取得することにより接続機器を特定し（ステップ６０）、特定された外部入力系に対応する接続履歴に含まれている全ての接続機器との比較を行い、特定した接続機器と同一の機器が特定された外部入力系に対応する接続履歴に存在するか否かを判定する（ステップＳ７０）。特定した接続機器と同一の機器が特定された外部入力系に対応する接続履歴に存在しなければ（ステップＳ７０のＮＯ）、履歴検索・設定抽出部１５は、出力画像及び出力音声の画質及び音質に関連する信号処理の設定をデフォルトにし（ステップＳ１００）、フロー動作を終了する。これに対して、特定した接続機器と同一の機器が特定された外部入力系に対応する接続履歴に存在していれば（ステップＳ７０のＹＥＳ）、履歴検索・設定抽出部１５は、現時点の出力画像及び出力音声の画質及び音質に関連する信号処理の設定が特定した接続機器と同一の機器が接続されていた際の設定と同一であるか否かを判定し（ステップＳ８０）、同一であれば（ステップＳ８０のＹＥＳ）、二重設定を防止するために何もせずにフロー動作を終了し、同一でなければ（ステップＳ８０のＮＯ）、出力画像及び出力音声の画質及び音質に関連する信号処理の設定を、特定した接続機器と同一の機器が接続されていた際の設定と同一になるように変更し（ステップＳ９０）、その後フロー動作を終了する。
【００３６】
一方、特定された外部入力系が接続機器を特定することができる通信手段を有していなければ（ステップＳ５０のＮＯ）、履歴検索・設定抽出部１５は、特定された外部入力系に対応する接続履歴の中から最新のものを抽出し、さらにその最新のものに含まれている出力画像及び出力音声の画質及び音質に関連する信号処理の設定情報を抽出し、その抽出した設定情報と現時点の出力画像及び出力音声の画質及び音質に関連する信号処理の設定とが同一であるか否かを判定する（ステップＳ１１０）。
【００３７】
ステップＳ１１０において同一であるとの判定結果が得られた場合（ステップＳ１１０のＹＥＳ）、二重設定を防止するために何もせずにフロー動作を終了する。
【００３８】
ステップＳ１１０において同一でないとの判定結果が得られた場合（ステップＳ１１０のＮＯ）、出力画像及び出力音声の画質及び音質に関連する信号処理の設定を、特定された外部入力系に対応する接続履歴の中の最新のものに含まれている出力画像及び出力音声の画質及び音質に関連する信号処理の設定情報と同一になるように変更してもよいが、本実施例では、特定された外部入力系に対応する接続履歴を一旦リスト表示し（ステップＳ１２０）、リモコン送信機からのリモコン信号や受信機本体に設けられる操作部のキー操作による信号に応じて或る履歴番号（図２参照）が選択されると（ステップＳ１３０のＹＥＳ）、出力画像及び出力音声の画質及び音質に関連する信号処理の設定を、選択された履歴番号に対応する出力画像及び出力音声の画質及び音質に関連する信号処理の設定と同一になるように変更し（ステップＳ１４０）、その後フロー動作を終了するようにしている。
【００３９】
なお、ステップＳ１２０〜ステップＳ１４０の処理は、リモコン送信機や受信機本体に設けられる操作部のキー操作によって、いつでも割り込み処理として実行できるようにしてもなんら問題は無い。
【００４０】
特定された外部入力系がコンポジット信号系である場合のステップＳ１２０におけるリスト表示例を図４に示す。図４に示すリスト表示は、ＣＰＵ５の制御の下、映像処理部８が、ＯＳＤ機能を利用して、記憶メモリ１６に記憶されている接続履歴に基づくリスト表示用ＯＳＤデータを生成することによって実現することができる。現在選択されている外部入力系の種別を枠１９内に表記し、その外部入力系で過去接続したものを枠２０内に時系列に並べて表示している。表示情報には接続日、接続機器に関する情報がある。リストの項目選択（具体的には履歴番号の選択）は、例えばリモコン送信機の上下キー及び決定キーが操作され、ＣＰＵ５がリモコン送信機からのリモコン信号に応じた選択・決定処理を実行することにより選択・決定される。現在選択されている履歴番号はマーク２１により示されている。
【００４１】
また、ステップＳ１２０のリスト表示に、接続履歴リストの他に、出力画像及び出力音声の画質及び音質に関連する信号処理のデフォルト設定に対応する項目も加え、デフォルト設定の選択を可能にしてもよい。
【００４２】
上述した動作により、出力画像及び出力音声の画質及び音質に関連する信号処理の処理対象である信号が切り替わると、必要に応じて、接続履歴に含まれている出力画像及び出力音声の画質及び音質に関連する信号処理の設定情報を利用して、出力画像及び出力音声の画質及び音質に関連する信号処理の設定が変更されるので、出力画像及び出力音声の画質及び音質に関連する信号処理の設定にかかる手間を低減することができる。
【００４３】
また、上述した動作により、原則として、出力画像及び出力音声の画質及び音質に関連する信号処理の設定を、特定された外部入力系に対応する接続履歴の中の最新のものに含まれている出力画像及び出力音声の画質及び音質に関連する信号処理の設定情報と同一になるようにしている（図３のステップＳ１１０のＹＥＳ参照）。このようにしている理由は、通常、外部入力系に接続されている接続機器の種類は外部入力系毎にほぼ固定されており、選択された外部入力系に接続されている接続機器が前回接続された接続機器と異なる場合は稀であるためである。
【００４４】
但し、接続機器が特定できる場合は、出力画像及び出力音声の画質及び音質に関連する信号処理の設定を、特定した接続機器と同一の機器が接続されていた際の設定と同一になるようにしている（図３のステップＳ８０及びＳ９０参照）。これにより、選択された外部入力系に接続されている接続機器が前回接続された接続機器と異なる場合でも、出力画像及び出力音声の画質及び音質に関連する信号処理の設定を自動的に適切にすることができ、選択された外部入力系に接続履歴のある接続機器が接続される場合に関しては受信機の出力画像及び出力音声の画質及び音質が安定化する。
【００４５】
さらに、ステップＳ１２０〜ステップＳ１４０の処理により、選択された外部入力系に接続されている接続機器が前回接続された接続機器と異なる場合であっても、リスト表示からの選択で対応することが可能である。
【００４６】
以上、本発明に係る実施形態について説明したが、本発明の範囲はこれに限定されるものではなく、発明の主旨を逸脱しない範囲で種々の変更を加えて実行することができる。例えば、上述した実施例では、外部入力信号の種類によって外部入力系を分類したが、外部入力端子毎に異なる外部入力系としてもよい。この場合、例えば受信機がコンポジット端子とＳ端子とを搭載していればコンポジット端子とＳ端子とを互いに異なる外部入力系として取り扱い、また、例えば受信機が複数のＨＤＭＩ端子を搭載していれば各ＨＤＭＩ端子をそれぞれ異なる外部入力系として取り扱うようにしてもよい。
【符号の説明】
【００４７】
１    アンテナ
２    チューナ
３    ＤＥＭＵＸ（デマルチプレクサ）
４    デコーダ
５    ＣＰＵ
６    スケーラ
７    フレームメモリ
８    映像処理部
９    音声処理部
１０    表示部
１１    スピーカ
１２    外部アナログ入力部
１３    外部デジタル入力部
１４    Ａ／Ｄ変換部
１５    履歴検索・設定抽出部
１６    記憶メモリ
１７    履歴更新・設定更新部
１８    リモコン受光部
１９、２０    枠
２１    マーク
【図１】
2010200189.tif 000003
【図２】
2010200189.tif 000004
【図３】
2010200189.tif 000005
【図４】
2010200189.tif 000006